(57)【要約】  本発明はエレクトロニクス装置を開示する。当該エレクトロニクス装置は、ＯＬＥＤディスプレイ、発泡体、及びフィルムを含む。発泡体はＯＬＥＤディスプレイの下に位置し、フィルムは発泡体の下に位置する。フィルム上に複数のブリッジ回路が配置される。各ブリッジ回路が、並列に接続された第１の分岐及び第２の分岐を含む。第１の分岐は、直列に接続された第１の抵抗及び第３の抵抗を含む。第２の分岐は、直列に接続された第２の抵抗及び第４の抵抗を含む。上記複数のブリッジ回路はフィルムの同じ側に位置する。これら４つの抵抗のうちの少なくとも１つが発泡体に接着される。少なくとも１つの抵抗は発泡体に接着されない。発泡体に接着される抵抗は第１の材料からなる。第１の材料の歪み感度係数は１００より高い。発泡体に接着される抵抗が位置するフィルム領域が第２の材料によって覆われ、発泡体に接着されない抵抗は第２の材料によって覆われない。第２の材料のヤング係数は３０より高い。本発明によれば、圧力センサを有するエレクトロニクス装置が実装され得る。
2019527882.tif 000002
【特許請求の範囲】
【請求項１】
エレクトロニクス装置であって、当該エレクトロニクス装置は、有機発光ダイオード（ＯＬＥＤ）ディスプレイ、発泡体、及びフィルムを有し、
前記発泡体は前記ＯＬＥＤディスプレイの下に位置し、前記フィルムは前記発泡体の下に位置し、
複数のブリッジ回路が前記フィルム上に配置され、各ブリッジ回路が第１の分岐及び第２の分岐を有し、前記第１の分岐は前記第２の分岐に並列に接続され、前記第１の分岐は第１の抵抗及び第３の抵抗を有し、前記第２の分岐は第２の抵抗及び第４の抵抗を有し、前記第１の抵抗の第１端が前記第２の抵抗の第１端に接続され、前記第１の抵抗の第２端が前記第３の抵抗の第１端に接続され、前記第２の抵抗の第２端が前記第４の抵抗の第１端に接続され、前記第３の抵抗の第２端が前記第４の抵抗の第２端に接続され、前記複数のブリッジ回路は前記フィルムの同じ側に位置し、
前記第１の抵抗、前記第２の抵抗、前記第３の抵抗、又は前記第４の抵抗のうちの少なくとも１つが前記発泡体に接着され、少なくとも１つの抵抗は前記発泡体に接着されず、前記発泡体に接着される抵抗は第１の材料からなり、前記第１の材料の歪み感度係数は１００より高く、且つ
前記発泡体に接着される抵抗が位置するフィルム領域が第２の材料によって覆われ、前記発泡体に接着されない抵抗が位置するフィルム領域は前記第２の材料によって覆われず、前記第２の材料のヤング係数は３０より高い、
エレクトロニクス装置。
【請求項２】
前記第１の抵抗、前記第２の抵抗、前記第３の抵抗、又は前記第４の抵抗のうちの少なくとも１つが前記発泡体に接着され、少なくとも１つの抵抗は前記発泡体に接着されず、前記発泡体に接着される抵抗は第１の材料からなることは、具体的に、
前記第２の抵抗及び前記第３の抵抗が前記発泡体に接着され且つ前記第１の材料からなり、前記第１の抵抗及び前記第４の抵抗は前記発泡体に接着されないことであり、
前記発泡体に接着される抵抗が位置するフィルム領域が第２の材料によって覆われ、前記発泡体に接着されない抵抗が位置するフィルム領域は前記第２の材料によって覆われないことは、具体的に、
前記第２の抵抗及び前記第３の抵抗が位置するフィルム領域が前記第２の材料によって覆われ、前記第１の抵抗及び前記第４の抵抗が位置するフィルム領域は前記第２の材料によって覆われないことである、
請求項１に記載のエレクトロニクス装置。
【請求項３】
前記第１の抵抗、前記第２の抵抗、前記第３の抵抗、又は前記第４の抵抗のうちの少なくとも１つが前記発泡体に接着され、少なくとも１つの抵抗は前記発泡体に接着されず、前記発泡体に接着される抵抗は第１の材料からなることは、具体的に、
前記第２の抵抗が前記発泡体に接着され且つ前記第１の材料からなり、前記第１の抵抗、前記第３の抵抗、及び前記第４の抵抗は前記発泡体に接着されないことであり、
前記発泡体に接着される抵抗が位置するフィルム領域が第２の材料によって覆われ、前記発泡体に接着されない抵抗が位置するフィルム領域は前記第２の材料によって覆われないことは、具体的に、
前記第２の抵抗が位置するフィルム領域が前記第２の材料によって覆われ、前記第１の抵抗、前記第３の抵抗、及び前記第４の抵抗が位置するフィルム領域は前記第２の材料によって覆われないことである、
請求項１に記載のエレクトロニクス装置。
【請求項４】
前記発泡体に接着されない抵抗の近傍の一部のフィルム領域が、スロットにされ、又はくり抜かれている、請求項１乃至３のいずれか一項に記載のエレクトロニクス装置。
【請求項５】
前記発泡体に接着されない抵抗の近傍のフィルム領域が、前記第２の材料によって覆われない、請求項１乃至４のいずれか一項に記載のエレクトロニクス装置。
【請求項６】
前記発泡体に接着されない抵抗は前記第１の材料からなる、請求項１乃至５のいずれか一項に記載のエレクトロニクス装置。
【請求項７】
エレクトロニクス装置であって、当該エレクトロニクス装置は、ディスプレイ及びフィルムを有し、
前記フィルムは前記ディスプレイの下に位置し、
複数のブリッジ回路が前記フィルム上に配置され、各ブリッジ回路が第１の分岐及び第２の分岐を有し、前記第１の分岐は前記第２の分岐に並列に接続され、前記第１の分岐は第１の抵抗及び第３の抵抗を有し、前記第２の分岐は第２の抵抗及び第４の抵抗を有し、前記第１の抵抗の第１端が前記第２の抵抗の第１端に接続され、前記第１の抵抗の第２端が前記第３の抵抗の第１端に接続され、前記第２の抵抗の第２端が前記第４の抵抗の第１端に接続され、前記第３の抵抗の第２端が前記第４の抵抗の第２端に接続され、前記複数のブリッジ回路は前記フィルムの同じ側に位置し、
前記第１の抵抗、前記第２の抵抗、前記第３の抵抗、又は前記第４の抵抗のうちの少なくとも１つが前記ディスプレイに接着され、少なくとも１つの抵抗は前記ディスプレイに接着されず、前記ディスプレイに接着される抵抗は第１の材料からなり、前記第１の材料の歪み感度係数は１００より高く、且つ
前記ディスプレイに接着されない抵抗の近傍の一部のフィルム領域がスロットにされ又はくり抜かれている、
エレクトロニクス装置。
【請求項８】
前記第１の抵抗、前記第２の抵抗、前記第３の抵抗、又は前記第４の抵抗のうちの少なくとも１つが前記ディスプレイに接着され、少なくとも１つの抵抗は前記ディスプレイに接着されず、前記ディスプレイに接着される抵抗は第１の材料からなることは、具体的に、
前記第２の抵抗及び前記第３の抵抗が前記ディスプレイに接着され且つ前記第１の材料からなり、前記第１の抵抗及び前記第４の抵抗は前記ディスプレイに接着されないことであり、
前記ディスプレイに接着されない抵抗の近傍の一部のフィルム領域がスロットにされ又はくり抜かれていることは、具体的に、
前記第１の抵抗及び前記第４の抵抗の近傍の一部のフィルム領域がスロットにされ又はくり抜かれていることである、
請求項７に記載のエレクトロニクス装置。
【請求項９】
前記第１の抵抗、前記第２の抵抗、前記第３の抵抗、又は前記第４の抵抗のうちの少なくとも１つが前記ディスプレイに接着され、少なくとも１つの抵抗は前記ディスプレイに接着されず、前記ディスプレイに接着される抵抗は第１の材料からなることは、具体的に、
前記第２の抵抗が前記ディスプレイに接着され且つ前記第１の材料からなり、前記第１の抵抗、前記第３の抵抗、及び前記第４の抵抗は前記ディスプレイに接着されないことであり、
前記ディスプレイに接着されない抵抗の近傍の一部のフィルム領域がスロットにされ又はくり抜かれていることは、具体的に、
前記第１の抵抗、前記第３の抵抗、及び前記第４の抵抗の近傍の一部のフィルム領域がスロットにされ又はくり抜かれていることである、
請求項７に記載のエレクトロニクス装置。
【請求項１０】
前記ディスプレイに接着される抵抗が位置するフィルム領域が第２の材料によって覆われ、前記ディスプレイに接着されない抵抗が位置するフィルム領域は前記第２の材料によって覆われず、前記第２の材料のヤング係数は３０より高い、請求項７乃至９のいずれか一項に記載のエレクトロニクス装置。
【請求項１１】
前記ディスプレイに接着されない抵抗の近傍のフィルム領域が、前記第２の材料によって覆われない、請求項１０に記載のエレクトロニクス装置。
【請求項１２】
前記ディスプレイに接着されない抵抗は前記第１の材料からなる、請求項７乃至１１のいずれか一項に記載のエレクトロニクス装置。
【請求項１３】
端末であって、当該端末は、電源と、請求項１乃至１２のいずれか一項に記載のエレクトロニクス装置とを有し、前記電源が、前記エレクトロニクス装置内の各ブリッジ回路に電力を供給し、各ブリッジ回路において、前記電源の第１端が前記第１の抵抗の第１端に接続され、前記電源の第２端が第３の抵抗の第２端に接続される、端末。
【発明の詳細な説明】
【技術分野】
【０００１】
本発明は、ディスプレイ技術の分野に関し、特に、圧力センサを備えたディスプレイ及び端末に関する。
【背景技術】
【０００２】
現在、主流のディスプレイ（Display）はディスプレイパネルとも呼ばれている。液晶ディスプレイ（Liquid-Crystal  Display、ＬＣＤ）と有機発光ダイオード（organic  light-emitting  diode、ＯＬＥＤ）ディスプレイという、主に２つのタイプのディスプレイが存在している。図１は、ＬＣＤディスプレイ及びＯＬＥＤディスプレイの概略的な構造図である。ＬＣＤディスプレイは、バックライトユニット（Back  Light  Unit、ＢＬＵ）１３２、底部偏光板１３４、薄膜トランジスタ（Thin-Film  Transistor、ＴＦＴ）ガラス層１３６、液晶層１３８、カラーフィルタ（Color  Filter、ＣＦ）１４０、及び頂部偏光板１４２を含んでいる。ＯＬＥＤディスプレイの構造は、ＴＦＴガラス基板１５０、ＯＬＥＤ層１５２、パッケージガラス１５４、及び偏光板１５６を含んでいる。
【０００３】
ＯＬＥＤディスプレイに関する詳細な説明については、ウィキペディアのウェブページ：https://en.wikipedia.org/wiki/OLEDを参照されたい（最後にアクセスしたのは２０１６年６月２７日である）。ＬＣＤディスプレイに関する詳細な説明については、ウィキペディアのウェブページ：https://en.wikipedia.org/wiki/Liquid-crystal  displayを参照されたい（最後にアクセスしたのは２０１６年６月２７日である）。
【０００４】
現在、多くのディスプレイは更にタッチ制御層を含んでおり、従って、このタッチ可能ディスプレイはタッチスクリーンと呼ばれる。
【０００５】
例えば携帯電話、時計、又はウェアラブル装置などの端末装置と人間との間でのインタラクションを改善するために、現在、ユーザのタッチ圧及びユーザのタッチ位置を特定するよう、例えばタッチスクリーン及び筐体などの端末装置の部分に圧力センサが広く適用されている。故に、より豊富なコンテンツの操作体験が実現される。一例として、アップル社の静電容量式圧力センサが使用されている。アップル社の携帯電話製品であるｉＰｈｏｎｅ  ６ｓのスクリーンはＬＣＤディスプレイである。図２は、圧力（force）センシング機能を備えたｉＰｈｏｎｅの概略図である。ここで、１０２は携帯電話のカバーガラス（Cover  Glass、ＣＧ）であり、１０４はディスプレイであり、１１０は携帯電話のアイアンフレームである。ディスプレイ１０４とアイアンフレーム１１０との間に、極めて薄い空隙（air  gap）が存在する。ディスプレイ１０４の具体的な構造は、図１に示したＬＣＤディスプレイ構造であるとし得る。
【０００６】
アップル社の静電容量式圧力センサの基本原理は以下の通りである：第１の電極１０６がディスプレイ１０４の下に配置され、第２の電極１０８が携帯電話のミドルフレーム（図には示さず）又はアイアンフレーム１１０の上に配置される。第１の電極１０６、第２の電極１０８、及び第１の電極１０６第２の電極１０８との間の空隙が一緒になって、キャパシタＣを形成する。キャパシタＣの等価回路を図３（１）に示す。空隙がキャパシタＣの誘電体として使用される。ユーザがスクリーンを押すとき、ディスプレイ１０４とアイアンフレーム１１０との間に空隙が存在するため、スクリーンに、ユーザの押す方向に、小さな変形が生じる。図３（２）に示すように、この小さな変形はキャパシタＣのキャパシタンス値の変化を生じさせ、そして、キャパシタンス値の変化は圧力の値に正比例する。すなわち、キャパシタンス値の変化を検出することで、圧力の値を検出し得る。しかしながら、静電容量式圧力センサは、主として電極間の距離の変化に従ってディスプレイ上の圧力を検出する。故に、電極間の距離が、精度を保証するのに十分な大きさである必要がある。これは、端末装置の全体厚さを増加させてしまう。
【０００７】
また、ＯＬＥＤディスプレイの底部に積み重ねられる層はＴＦＴ及びＯＬＥＤである。ＴＦＴ及びＯＬＥＤは比較的もろく、乏しい耐衝撃性を持つ。故に、ＯＬＥＤディスプレイが端末装置に適用されるとき、衝撃を軽減するために、ＯＬＥＤディスプレイの底部に薄い発泡体層が配置される。静電容量式圧力センサの以上のソリューションは、発泡体のためにＯＬＥＤディスプレイには適用可能でない。
【発明の概要】
【０００８】
本発明の第１の態様は、圧力センサを備えたＯＬＥＤディスプレイであるエレクトロニクス装置を提供する。本発明においては、既存のディスプレイを基礎にして圧力センサが付加される。当該エレクトロニクス装置は、ＯＬＥＤディスプレイ、発泡体、及びフィルムを含む。発泡体はＯＬＥＤディスプレイの下に位置し、発泡体の下に圧力センサが位置する。フィルムは圧力センサに含まれる。フィルム上に複数のブリッジ回路が配置される。各ブリッジ回路が第１の分岐及び第２の分岐を含む。第１の分岐は第２の分岐に並列に接続される。第１の分岐は第１の抵抗及び第３の抵抗を含み、第２の分岐は第２の抵抗及び第４の抵抗を含む。第１の抵抗の第１端が第２の抵抗の第１端に接続される。第１の抵抗の第２端が第３の抵抗の第１端に接続される。第２の抵抗の第２端が第４の抵抗の第１端に接続される。第３の抵抗の第２端が第４の抵抗の第２端に接続される。上記複数のブリッジ回路はフィルムの同じ側に位置する。これら４つの抵抗のうちの少なくとも１つの抵抗が発泡体に接着され、少なくとも１つの抵抗は発泡体に接着されない。発泡体に接着される抵抗は第１の材料からなる。第１の材料の歪み感度係数は１００より高い。発泡体に接着される抵抗が位置するフィルム領域が第２の材料によって覆われ、発泡体に接着されない抵抗が位置するフィルム領域は第２の材料によって覆われない。第２の材料のヤング係数は３０より高い。このソリューションによれば、ユーザによってディスプレイ上に加えられた力を検出すべく、圧力センサを備えたディスプレイが実装される。
【０００９】
第１の態様によれば、第１の態様の第１の取り得る実装において、第２の抵抗及び第３の抵抗が発泡体に接着され且つ第１の材料からなり、第１の抵抗及び第４の抵抗は発泡体に接着されず、第２の抵抗及び第３の抵抗が位置するフィルム領域が第２の材料によって覆われ、第１の抵抗及び第４の抵抗が位置するフィルム領域は第２の材料によって覆われない。
【００１０】
第１の態様によれば、第１の態様の第２の取り得る実装において、第２の抵抗が発泡体に接着され且つ第１の材料からなり、第１の抵抗、第３の抵抗、及び第４の抵抗は発泡体に接着されず、第２の抵抗が位置するフィルム領域が第２の材料によって覆われ、第１の抵抗、第３の抵抗、及び第４の抵抗が位置するフィルム領域は第２の材料によって覆われない。
【００１１】
第１の態様の第１の取り得る実装及び第１の態様の第２の取り得る実装は、圧力検出を実装することができる２つのソリューションである。
【００１２】
第１の態様から第１の態様の第２の取り得る実装までの何れか一によれば、第１の態様の第３の取り得る実装において、発泡体に接着されない抵抗の近傍の一部のフィルム領域が、スロットにされ、又はくり抜かれる。一部の抵抗は発泡体に接着されず、そして、発泡体に接着されない抵抗の近傍の一部のフィルム領域がスロットにされ又はくり抜かれるので、エレクトロニクス装置上に直接的又は間接的に力が加えられるときに、発泡体に接着された抵抗上の歪みが、発泡体に接着されていない抵抗上の歪みから更に隔絶される。
【００１３】
第１の態様から第１の態様の第３の取り得る実装までの何れか一によれば、第１の態様の第４の取り得る実装において、発泡体に接着されない抵抗が位置するフィルム領域と、発泡体に接着されない抵抗の近傍のフィルム領域とが、第２の材料によって覆われない。このフィルム領域が第２の材料によって覆われない様式を実装することはいっそう容易である。さらに、斯くして、接着されない抵抗上に生じ得る歪みを更に低減することができる。
【００１４】
第１の態様から第１の態様の第４の取り得る実装までの何れか一によれば、第１の態様の第５の取り得る実装において、発泡体に接着されない抵抗は第１の材料からなる。すなわち、技術的プロセスを単純化するよう、第１の抵抗、第２の抵抗、第３の抵抗、及び第４の抵抗が、同じ感歪材料から作製される。
【００１５】
本発明の第２の態様は、圧力センサを備えたディスプレイであるエレクトロニクス装置を提供する。本発明においては、既存のディスプレイを基礎にして圧力センサが付加される。このディスプレイは、ＬＣＤディスプレイ又はＯＬＥＤディスプレイとし得る。圧力センサはディスプレイの下に位置する。圧力センサはフィルムを含む。フィルム上に複数のブリッジ回路が配置される。各ブリッジ回路が第１の分岐及び第２の分岐を含む。第１の分岐は第２の分岐に並列に接続される。第１の分岐は第１の抵抗及び第３の抵抗を含み、第２の分岐は第２の抵抗及び第４の抵抗を含む。第１の抵抗の第１端が第２の抵抗の第１端に接続される。第１の抵抗の第２端が第３の抵抗の第１端に接続される。第２の抵抗の第２端が第４の抵抗の第１端に接続される。第３の抵抗の第２端が第４の抵抗の第２端に接続される。上記複数のブリッジ回路はフィルムの同じ側に位置する。第１の抵抗、第２の抵抗、第３の抵抗、又は第４の抵抗のうちの少なくとも１つがディスプレイに接着され、少なくとも１つの抵抗はディスプレイに接着されない。ディスプレイに接着される抵抗は第１の材料からなる。第１の材料の歪み感度係数は１００より高い。ディスプレイに接着されない抵抗の近傍の一部のフィルム領域がスロットにされ又はくり抜かれる。このソリューションによれば、ユーザによってディスプレイ上に加えられた力を検出すべく、圧力センサを備えたディスプレイが実装される。
【００１６】
第２の態様によれば、第２の態様の第１の取り得る実装において、第２の抵抗及び第３の抵抗がディスプレイに接着され且つ第１の材料からなり、第１の抵抗及び第４の抵抗はディスプレイに接着されず、第１の抵抗及び第４の抵抗の近傍の一部のフィルム領域がスロットにされ又はくり抜かれる。
【００１７】
第２の態様によれば、第２の態様の第２の取り得る実装において、第２の抵抗がディスプレイに接着され且つ第１の材料からなり、第１の抵抗、第３の抵抗、及び第４の抵抗はディスプレイに接着されず、第１の抵抗、第３の抵抗、及び第４の抵抗の近傍の一部のフィルム領域がスロットにされ又はくり抜かれる。
【００１８】
第２の態様から第２の態様の第２の取り得る実装までの何れか一によれば、第２の態様の第３の取り得る実装において、ディスプレイに接着される抵抗が位置するフィルム領域が第２の材料によって覆われ、ディスプレイに接着されない抵抗が位置するフィルム領域は第２の材料によって覆われず、第２の材料のヤング係数は３０より高い。このソリューションにおいては、接着される抵抗上の歪みが、接着されない抵抗上の歪みから更に異ならされ得る。
【００１９】
第２の態様の第３の取り得る実装によれば、第２の態様の第４の取り得る実装において、発泡体に接着されない抵抗の近傍のフィルム領域が、第２の材料によって覆われない。このソリューションにおいては、接着される抵抗上に生じ得る歪みを更に低減することができる。
【００２０】
第２の態様から第２の態様の第４の取り得る実装までの何れか一によれば、第２の態様の第５の取り得る実装において、ディスプレイに接着されない抵抗は第１の材料からなる。技術的プロセスを単純化するよう、４つの抵抗が同じ感歪材料から作製される。
【００２１】
第２の態様から第２の態様の第５の取り得る実装までの何れか一によれば、第２の態様の第６の取り得る実装において、当該エレクトロニクス装置は、液晶ディスプレイ（ＬＣＤ）又は有機発光ダイオード（ＯＬＥＤ）ディスプレイである。
【００２２】
本発明の第３の態様は端末を提供する。当該端末は、圧力センサディスプレイを備えた端末である。当該端末は、電源と、第１の態様又は第２の態様にて提供されるエレクトロニクス装置とを含む。電源は、エレクトロニクス装置内の各ブリッジ回路に電力を供給する。各ブリッジ回路において、電源の第１端が第１の抵抗の第１端に接続され、電源の第２端が第３の抵抗の第２端に接続される。ブリッジ回路は互いに並列に接続される。各ブリッジ回路が独立に動作することができる。当該端末は、圧力検出動作を実装すべく、ユーザによってディスプレイ上に加えられた圧力を検出することができる。
【００２３】
オプションで、発泡体に接着されない抵抗は、固定値の抵抗である。固定値の抵抗は発泡体に接着されない。故に、基本的に、固定値の抵抗に歪みは伝わらない。あるいは、固定値の抵抗に歪みが伝わるとしても、固定値の抵抗の抵抗値は変化しない。本発明が依然として実装され得る。
【００２４】
オプションで、第１の材料は、以下の材料のうちの１つ、すなわち、炭素系材料、酸化物材料、又は半導体材料のうちの１つである。これらの材料は各々、比較的高い歪み感度係数を持つ。故に、これらの材料を用いて歪み抵抗を作製することによって、比較的良好な効果が達成される。
【００２５】
オプションで、第２の材料は銅である。フィルム上に銅を被覆することは比較的成熟した技術であり、それを使用することによって、本発明を簡単に実装することができるとともに、良好な効果を達成することができる。
【００２６】
オプションで、フィルムは、フレキシブルプリント回路（ＦＰＣ）又はポリエチレンテレフタレート（ＰＥＴ）材料である。
【００２７】
このソリューションでは、圧力センサを備えたディスプレイを実装することができる。ユーザがディスプレイを押すときに、ユーザによってディスプレイ上に加えられた力の状態を検出することができ、力の状態に従って、対応する動作が実行される。例えば、ユーザによって加えられた力が比較的大きいことが検出された場合に、ディスプレイ上に表示された画像がズームインされてもよく、ユーザによって加えられた力が比較的小さいことが検出された場合には、再生されている音楽が一時停止されてもよい。このエレクトロニクス装置は、タッチ機能を備えたディスプレイとし得る。ユーザのタッチ操作を検出するとき、このエレクトロニクス装置は更に、ユーザの操作体験を向上させるよう、ユーザの押す操作を検出し得る。
【図面の簡単な説明】
【００２８】
本発明の実施形態における技術的ソリューションをいっそう明瞭に説明するため、以下、実施形態を説明するのに必要な添付の図を簡単に説明する。明らかなように、以下に説明される添付の図は、単に、本発明の一部の実施形態を示すものであり、当業者はなおも、創作努力なく、これら添付の図から他の図を得ることができる。
【図１】ＬＣＤディスプレイ及びＯＬＥＤディスプレイの概略的な構造図である。
【図２】ｉＰｈｏｎｅに実装された圧力センサを備えたスクリーンの概略的な構造図である。
【図３】ｉＰｈｏｎｅに実装された圧力センサの原理の概略図である。
【図４】本発明に従ったフルブリッジ回路の概略図である。
【図５】本発明に従ったハーフブリッジ回路の概略図である。
【図６】本発明に従った出力電圧Ｕｏと力Ｆとの間の関係の概略図である。
【図７】本発明に従ったエレクトロニクス装置である。
【図８】本発明に従ったエレクトロニクス装置の局所拡大概略図である。
【図９】本発明に従ったエレクトロニクス装置の別の局所拡大概略図である。
【図１０】本発明に従ったスロット化又はくり抜きに関する実装の概略図である。
【図１１】本発明に従ったくり抜き後のプレス原理の概略図である。
【図１２】本発明に従った別のエレクトロニクス装置である。
【図１３】本発明に従った銅の除去に関する実装の概略図である。
【図１４】本発明に従ったスロット化又はくり抜きに関する実装の概略図である。
【図１５】本発明に従った別のエレクトロニクス装置である。
【図１６】本発明に従った銅の除去に関する別の実装の概略図である。
【図１７】本発明に従った端末の概略的な構造図である。
【発明を実施するための形態】
【００２９】
本発明の実施形態の目的、技術的ソリューション、及び利点をいっそう明瞭にするため、以下、本発明の実施形態内の添付図面を参照して、本発明の実施形態における技術的ソリューションを明瞭に記載する。明らかなように、記載される実施形態は、本発明の実施形態のうちの一部であって、全てではない。本発明の実施形態に基づいて創作努力なしで当業者によって得られるその他全ての実施形態も、本発明の保護範囲に入るべきものである。
【００３０】
本発明にて言及される端末は、例えば、携帯電話、タブレットコンピュータ、コンピュータディスプレイ、コンピュータ入力装置（例えば、タッチ制御パネル、キーボード、又はマウスなど）、ウェアラブル装置、健康監視装置、又はスポーツ補助装置とし得る。
【００３１】
理解されるべきことには、例えば“第１の”及び“第２の”などの序数は、本発明の実施形態にて言及される場合、文脈に従ってそれらの序数が間違いなく順序を表すのでない限り、単に区別を行うために使用される。
【００３２】
当業者が容易に理解することには、本明細書にて提供される添付図面についての詳細な説明は、単に説明及び記述のために過ぎず、限定として解釈されるべきでない。
【００３３】
一般に、端末のタッチスクリーンは、スクリーン上でユーザによって行われるタッチ操作を検出することができる。圧力センサを備えたタッチスクリーンは、ユーザのタッチイベントを検出することができるとともに、さらに、ユーザによってタッチスクリーン上に加えられた力の値を検出することができる。圧力を伴うタッチ操作は、端末のタッチパネル上、又は端末に関連する別の表面上で行われ得る。測定により圧力センサによって検出された力の値は、端末の入力信号、入力データ、又は他の入力情報として使用され得る。一例において、大きい圧力によって生成される入力イベントは、小さい圧力によって生成される入力イベントとは異なり得る。例えば、圧力が予め設定された閾値を上回ることを検出したときには、その強い力（high  force）によって生成される入力イベントによって、スマートフォンがディスプレイをロック解除してもよく、圧力が予め設定された閾値よりも小さいことを検出したときには、その弱い力（low  force）によって生成される入力イベントによって、スマートフォンが音声の出力を一時停止してもよい。故に、同じ端末の同じ位置に加えられる２つの圧力であっても、それら２つの入力に対応する端末の応答又は出力は互いに異なり得る。また、一例において、力の変化が、更なるタイプの入力イベントとして解釈されてもよい。例えば、ユーザが、力センサを備えたウェアラブル装置を動脈の近くに保持することで、ユーザの血圧及び心拍数を測定し得る。理解され得ることには、力センサは、様々なタイプのユーザ入力を収集するように構成され得る。
【００３４】
一部の実施形態において、圧力センサは、以下では歪み抵抗として参照する感歪（strain-sensitive）材料から作製された抵抗を用いることによって実装され得る。（力学において、歪みは、微小な材料要素に応力が加えられるときに生成される変形として定義される。歪みは、それに代えて、単位長さあたりの変形として参照されることもある。歪みは無次元量である。）このタイプの抵抗は、その抵抗値が歪みとともに変化する抵抗である。例えば、外力が直接的又は間接的に抵抗に加えられるとき、抵抗の歪みが変化する。故に、歪み又は外力に応じて抵抗の抵抗値が変化し得る。抵抗の抵抗値の具体的な変化は、ブリッジ回路（Bridge  Circuit）を用いることによって測定され得る。
【００３５】
図４は、ブリッジ回路の概略図である。このブリッジ回路はフルブリッジ回路（Full  Bridge  Circuit）である。このブリッジ回路は、４つのブリッジアーム（Bridge  Arm又はBridge  Leg）を持つ２つの分岐を含み、Ｒ１、Ｒ２、Ｒ３、及びＲ４の各々が１つのブリッジアーム上に位置する。第１の分岐は抵抗Ｒ１及びＲ３を含み、第２の分岐は抵抗Ｒ２及びＲ４を含む。第１の分岐は第２の分岐に並列に接続される。抵抗Ｒ１とＲ３とが直列に接続され、抵抗Ｒ２とＲ４とが直列に接続される。ここで、Ｕｉは一定の電源電圧であり、抵抗Ｒ２及びＲ３は、歪み抵抗であって、感歪材料からなり、抵抗Ｒ１及びＲ４は固定値の抵抗であり、すなわち、Ｒ１及びＲ４の抵抗値は基本的に歪みとともに変化せず、Ｕｏは出力電圧である。感歪材料は、一般に、比較的高い歪み感度係数を持つ材料である。歪み感度係数（Gauge  Factor）は、歪み係数、感歪係数、歪み感度率、又は歪みゲージ感度係数としても参照される。例えば、感歪材料は、炭素系材料、酸化物材料、又は半導体材料とし得る。これらの材料の歪み感度係数は、大抵は、１００より高い。比較的高い歪み感度係数を持つ材料からなる抵抗に直接的又は間接的に力が加えられるとき、抵抗の抵抗値変化は比較的明白である。
【００３６】
出力電圧Ｕｏは、例えばマルチメータ又はオシロメータなどのツールを用いることによる測定によって取得され得る。実際の端末製品の回路において、出力電圧Ｕｏは、専用回路及び専用コンポーネントを用いることによる読み取りによって直接的に取得され得る。
【００３７】
同様に、出力電圧Ｕｏは、式：
【数１】
2019527882.tif 000003
を用いることによる計算によって取得され得る。
【００３８】
Ｒ２の抵抗値及びＲ３の抵抗値の双方がΔＲだけ変化すると仮定する。式（１）は：
【数２】
2019527882.tif 000004
に変形し得る。
【００３９】
抵抗Ｒ１、Ｒ２、Ｒ３、及びＲ４の初期抵抗値が全てＲ０であると仮定する。この場合、
【数３】
2019527882.tif 000005
となる。
【００４０】
故に、ＵｏとΔＲとの間の関係：
【数４】
2019527882.tif 000006
を得ることができる。
【００４１】
Ｕｉ、Ｕｏ、及びＲ０は、既知の値であり、あるいは、測定によって得ることができるので、ΔＲを得ることができ、すなわち、抵抗Ｒ２及びＲ３上の歪みによって発生される抵抗値の変化を得ることができる。
【００４２】
Ｒ２及びＲ３は感歪材料からなるので、次の関係が一般的に存在する：
【数５】
2019527882.tif 000007
【００４３】
ここで、Ｓは、歪み係数、感歪係数、歪み感度率、又は歪みゲージ感度係数としても参照される歪み感度係数（Gauge  Factor）であり、金属材料のＳは一般的に１．８から３．６であり、また、半導体材料のＳは一般的に１００より高い。学び得ることには、半導体材料の感度は金属材料のそれよりも遥かに高い。εは歪みである。歪みεは、抵抗に加えられる力Ｆに比例する。より大きい歪みεは、より大きい力が抵抗に加えられたことを指し示す。
【００４４】
故に、図６に示すように、圧力センサを実装するために、出力電圧Ｕｏと力Ｆとの間の値関係が確立され得る。図６（１）において、ユーザの指がディスプレイを押す。ディスプレイに変形が生じる。その変形が抵抗に伝えられる。故に、抵抗の抵抗値が変化し、元々のブリッジバランスが崩される。出力電圧Ｕｏが変化する。図６（２）は、出力電圧Ｕｏと力Ｆとの間の関係を大まかに示している。
【００４５】
同じ歪みの場合、より大きい歪み感度係数の材料は、より大きい抵抗値の変化を示す。故に、より高い歪み感度係数を持つ材料から抵抗が作製される場合、スクリーンに外力が加えられるときに、抵抗の抵抗値の変化がいっそう大きく、そして、取得される外力の測定結果がいっそう正確である。
【００４６】
一部の実施形態において、ブリッジ回路は、ハーフブリッジ回路（Half  Bridge  Circuit）及びフルブリッジ回路（Full  Bridge  Circuit）を含む。図４に示した回路はフルブリッジ回路である。図５は、ハーフブリッジ回路の概略図である。図５に示すハーフブリッジ回路は、ホイートストンブリッジ（Wheatstone  bridge）、ホイートストンブリッジ、ホイートストンブリッジ、又はワンアームブリッジとしても参照される。計算により、次式：
【数６】
2019527882.tif 000008
を得ることができる。
【００４７】
ＵｏとΔＲとの間の関係は、式（５）を用いることによって計算され得る。
【００４８】
一部の実施形態において、この計算は単純化されてもよい。一般、ΔＲ≪Ｒ０である。故に、式（５）を単純化して、
【数７】
2019527882.tif 000009
を得てもよい。
【００４９】
本発明の一実施形態はエレクトロニクス装置を提供する。そのエレクトロニクス装置は、圧力センサを備えたディスプレイである。図７は、圧力センサを備えたディスプレイの概略的な構造図である。ディスプレイ１０４は、頂面１０４１及び底面１０４２を含む。頂面１０４１及び底面１０４２は、互いに向かい合う２つの面である。ディスプレイがＬＣＤディスプレイである場合、底面１０４２はバックライトモジュールとし得る。ディスプレイがＯＬＥＤディスプレイである場合、底面１０４２はＴＦＴガラス基板とし得る。ディスプレイ１０４の底面に、薄いフィルム２０２が配置される。薄いフィルム２０２は、フレキシブルプリント回路（Flexible  Printed  Circuit、ＦＰＣ）、ポリエチレンテレフタレート（Polyethylene  Terephthalate、ＰＥＴ）材料、又はこれらに類するものとし得る。薄いフィルム２０２上にブリッジアレイ２０４が配置される。薄いフィルム２０２のうち一部の領域が底面１０４２に接着され、薄いフィルム２０２のうち一部の領域は底面１０４２に接着されない。ブリッジアレイ２０４は、複数のブリッジ回路を含むアレイである。具体的には、接着のために光学透明接着剤（Optically  Clear  Adhesive、ＯＣＡ）が使用され得る。光学透明接着剤は透明（transparent）な接着剤である。
【００５０】
このソリューションをいっそう明瞭に説明するため、図８は、図７の局所拡大概略図である。図８に示すように、２０４１は第１のブリッジ回路であり、２０４２は第２のブリッジ回路であり、２０４３は第３のブリッジ回路である。一部の実施形態において、２０４１、２０４２、及び２０４３は、図４に示したブリッジ回路とし得る。一部の他の実施形態において、２０４１、２０４２、及び２０４３は、図５に示したブリッジ回路とし得る。理解され得ることには、一部の他の実施形態において、２０４１、２０４２、及び２０４３は、図４に示したブリッジ回路と図５に示したブリッジ回路との組み合わせであってもよい。例えば、２０４１は図４に示したブリッジ回路であり、２０４２及び２０４３は図５に示したブリッジ回路である。以下では、２０４１、２０４２、及び２０４３が図４に示したブリッジ回路である例を用いて説明を行う。第１のブリッジ回路２０４１の例において、抵抗Ｒ１、Ｒ２、Ｒ３、及びＲ４の接続方式は、図４に示したブリッジ回路のそれと同じである。抵抗Ｒ１、Ｒ２、Ｒ３、及びＲ４の各々が感歪材料からなる抵抗であってもよい。抵抗Ｒ２及びＲ３が配置される薄いフィルム２０２上の領域がディスプレイ１０４に接着され、抵抗Ｒ１及びＲ４が配置される薄いフィルム２０２上の領域はディスプレイ１０４に接着されない。抵抗Ｒ１及びＲ４の近傍の一部領域が、スロットにされ、又はくり抜かれる。薄いフィルム２０２上に直接的又は間接的に力が加えられるとき、抵抗Ｒ２及びＲ３が配置されている薄いフィルム２０２上の領域はディスプレイ１０４に接着されているため、薄いフィルム２０２上の歪みが抵抗Ｒ２及びＲ３に伝えられる。故に、抵抗Ｒ２及びＲ３の抵抗値が変化する。抵抗Ｒ１及びＲ４が配置されている薄いフィルム２０２上の領域はディスプレイ１０４に接着されておらず、また、抵抗Ｒ１及びＲ４の近傍の領域がスロットにされ又はくり抜かれているので、基本的に、薄いフィルム２０２上の歪みは抵抗Ｒ１及びＲ４には伝えられない。故に、基本的に、抵抗Ｒ１及びＲ４の抵抗値は変化しない。同様に、他のブリッジ回路についての抵抗の設定もこのソリューションと同様である。このソリューションをいっそう明瞭に説明するため、図９は、図８の局所拡大概略図であり、２０６が、スロットにされた又はくり抜かれた領域を示している。抵抗Ｒ１近傍の一部領域及び抵抗Ｒ４近傍の一部領域が、スロットにされており、又はくり抜かれている。一実装を図１０に更に示し得る。抵抗は薄いフィルム上に配置されるので、抵抗はディスプレイに接着される。当業者が理解し得ることには、抵抗が配置される薄いフィルム上の領域がディスプレイに接着される。
【００５１】
一部の実施形態において、Ｒ２及びＲ３は、同じ歪み感度係数を持つ材料からなる抵抗とすることができ、また、Ｒ１及びＲ４は固定値の抵抗とすることができる。抵抗Ｒ２及びＲ３が配置される薄いフィルム２０２上の領域がディスプレイ１０４に接着され、抵抗Ｒ１及び、Ｒ４が配置される薄いフィルム２０２上の領域はディスプレイ１０４に接着されない。薄いフィルム２０２上に直接的又は間接的に力が加えられるとき、薄いフィルム上の歪みが、抵抗Ｒ１、Ｒ２、Ｒ３、及びＲ４に伝えられる。抵抗Ｒ２及びＲ３の抵抗値は歪みとともに変化し、抵抗Ｒ１及びＲ４の抵抗値は、抵抗Ｒ１及びＲ４が固定値の抵抗であるため、歪みとともに変化しない。一部の他の実施形態では、さらに、抵抗Ｒ１及びＲ４の近傍の一部領域が、スロットにされ又はくり抜かれる。同様に、別のブリッジ回路において、感歪材料からなる抵抗が配置される薄いフィルム上の領域が、ディスプレイモジュールの底面に接着され、固定値の抵抗が配置される薄いフィルム上の領域は、ディスプレイモジュールに接着されない。さらに、固定値の抵抗の近傍の一部領域が、スロットにされ又はくり抜かれ得る。
【００５２】
図１１に示すように、Ｒ１、Ｒ２、Ｒ３、及びＲ４が同じ感歪材料からなる例を用いることによって説明を行う。ディスプレイ１０４上に外力が加えられるとき、例えば、ユーザの指がディスプレイ１０４を押すとき、ディスプレイ１０４に小さい変形が生じ、それに従って、薄いフィルム２０２に変形が生じる。Ｒ２及びＲ３はディスプレイモジュールに接着されているので、小さい変形が抵抗Ｒ２及びＲ３に伝えられ得る。抵抗Ｒ１及びＲ４はディスプレイモジュールに接着されておらず、また、抵抗Ｒ１、Ｒ４の近傍の一部領域がくり抜かれているので、薄いフィルム２０２上の変形は抵抗Ｒ１及びＲ４には伝えられない。故に、抵抗Ｒ２及びＲ３の抵抗値が歪みとともに変化し、抵抗Ｒ１及びＲ４の抵抗値は基本的に変化しない。上述のソリューションによれば、力Ｆに従ってユーザ操作を決定すべく、出力電圧Ｕｏと力Ｆとの間の関係が取得され得る。例えば、ユーザによって加えられた力が比較的大きい場合には、ユーザによって見られている画像がズームインされてもよく、ユーザによって加えられた力が比較的小さい場合には、ユーザによって再生されている音楽が一時停止されてもよい。
【００５３】
一部の実施形態において、ディスプレイ上の小さい変形を、接着された抵抗に、より良好に伝えることができるよう、薄いフィルムが銅によって覆われ得る。斯くして、薄いフィルムに接着された抵抗上の変形が、ディスプレイ上の変形と基本的に同じになり得る。薄いフィルムの前面又は背面が銅によって覆われ得る。
【００５４】
一部の実施形態において、接着されない抵抗が配置される薄いフィルム４０２上の領域は、銅によって覆われない。図１２に示すように、薄いフィルム４０２が銅４０４（斜線で陰影を付けた領域で示されており、スロットにされた又はくり抜かれた領域４０６を含まない）によって一様に覆われた後に、接着されない抵抗が配置される薄いフィルム４０２上の領域で銅の除去が実行される。例えば、抵抗Ｒ１及びＲ４が位置するフィルム領域内の銅が、腐食などの手法にて除去される。斯くして、接着されない抵抗が配置される薄いフィルム４０２上の領域は、銅によって覆われない。図１２に示す抵抗Ｒ１、Ｒ２、Ｒ３、及びＲ４は、ある１つのブリッジ回路に含められる抵抗である。薄いフィルム４０２上に複数のブリッジ回路が配置され得る。これら複数のブリッジ回路はブリッジアレイを形成する。別のブリッジ回路の設定も、図の左上隅のマークを付けたブリッジ回路の設定と同様である。このソリューションでは、ディスプレイに接着される抵抗上の歪みを増強させることができるとともに、接着されない抵抗に生じ得る変形を抑制し得る。
【００５５】
銅に加えて、薄いフィルムは代替的に、比較的高いヤング係数を持つ材料によって覆われてもよい。ヤング係数は、ヤング率（Young’s  modulus）としても参照される。薄いフィルム上に銅を被覆することは、成熟した技術であって一般的に使用されており、また、比較的良好な効果を有する。表１は、様々な材料のヤング係数を与えている。概して、そのヤング係数が３０より高い材料が選択され得る。
【表１】
2019527882.tif 000010
【００５６】
比較的高いヤング係数を持つ別の材料によって薄いフィルムが覆われる場合、以下のソリューションにて薄いフィルム上の一部の領域で実行される銅の除去はまた、薄いフィルムを被覆する比較的高いヤング係数を持つ材料の除去として理解され得る。理解され得ることには、腐食などの手法にて銅を除去することは、接着されない抵抗が位置するフィルム領域が銅によって覆われないことを実装するための手法である。
【００５７】
一部の他の実施形態において、図１３に示すように、薄いフィルム５０２が銅５０４（斜線で陰影を付けた領域にて示されている）で覆われた後に、接着されない抵抗Ｒ１及びＲ４が位置する領域と、接着されない抵抗Ｒ１及びＲ４の近傍の領域とで、銅の除去が実行され、すなわち、領域５０８は銅によって覆われない領域であり、そうして、抵抗Ｒ１及びＲ４に生じ得る変形を更に抑制するようにする。ここで、５０６は、スロットにされた又はくり抜かれた領域である。スロット化又はくり抜きの手法は、図１０に示され得る。
【００５８】
以上の実施形態においては、製造技術の不正確さのために、接着されないＲ１及びＲ４に極端に小さい変形が生じ得る。一部の実施形態では、力の測定結果がいっそう正確になるよう、Ｒ２及びＲ３上の歪みからＲ１及びＲ４上の歪みをより良好に隔絶させるために、接着されない抵抗が位置する領域と、接着されない抵抗の近傍の一部領域とが、スロットにされ又はくり抜かれ得る。
【００５９】
一部の他の実施形態において、同じブリッジ回路内の抵抗の温度が同じになるよう、又は、同じブリッジ回路内の抵抗の温度変化が基本的に同じになるよう、同じブリッジ回路内の抵抗は、同じ感歪材料から製造され得るとともに、可能な限り互いの近くに配置され得る。例えば、図１２及び図１３に示すように、抵抗Ｒ１、Ｒ２、Ｒ３、及びＲ４は、これらの抵抗間の温度差を低減するよう、同じ感歪材料からなるとともに、薄いフィルム上で可能な限り互いの近くに配置される。
【００６０】
ブリッジ回路２０４１、２０４２、及び２０４３の接続方式が、図５に示した接続方式である場合、図５の抵抗Ｒ２を処理する手法は、図４の抵抗Ｒ２及びＲ３を処理する手法と同様であり、また、図５の抵抗Ｒ１、Ｒ３、及びＲ４を処理する手法は、図４の抵抗Ｒ１及びＲ４を処理する手法と同様である。
【００６１】
薄いフィルム上のブリッジ回路は、図４又は図５に示され得る。対応して、スロット化の手法が、図１４に示され得る。図４のフルブリッジ回路のスロット化の手法が、図１４（３）及び図１４（４）に示されている。図１４（３）において、６０２３は、スロット化された領域を指し示しており、例えば抵抗Ｒ３であるスロット化された領域内の抵抗はディスプレイに接着されず、６０４３は、例えば抵抗Ｒ２及びＲ３であるディスプレイに接着される抵抗を指し示している。図１４（４）において、６０２４は、スロット化された領域を指し示しており、例えば抵抗Ｒ２又はＲ３であるスロット化された領域内の抵抗はディスプレイに接着されず、６０４４は、例えば抵抗Ｒ１及びＲ４であるディスプレイに接着される抵抗を指し示している。図５に示したハーフブリッジ回路のスロット化の手法が、図１４（２）に示されている。ここで、６０２２は、スロット化された領域を指し示しており、例えば抵抗Ｒ１、Ｒ２、又はＲ４であるスロット化された領域内の抵抗はディスプレイに接着されず、６０４２は、例えば抵抗Ｒ３であるディスプレイに接着される抵抗を指し示している。図１４（１）において、６０２１は、スロット化された領域を指し示しており、例えば抵抗Ｒ３であるスロット化された領域内の抵抗はディスプレイに接着されず、６０４１は、例えば抵抗Ｒ１、Ｒ２、及びＲ４であるディスプレイに接着される抵抗を指し示しており、この回路は、フルブリッジ回路に属し、すなわち、３つの歪み抵抗を持つ回路である。ディスプレイに接着される抵抗は、基本的に同じ感歪係数を持つ材料から作製され得る。
【００６２】
以上のソリューションにおいては、抵抗が薄いフィルム上に配置され、そして、薄いフィルムが銅によって覆われた後に、薄いフィルムの厚さはおよそ０．１ミリメートルである。圧力センサを実装するためのこの手法においては、応力を負担するボードを追加してこの応力負担ボードを付加的な応力負担構造として使用することが必要でなく、圧力センサの厚さを減少させる。応力負担ボードを追加する必要がないので、後続の組み立て段階において材料コスト及び製造コストを更に低減することができる。
【００６３】
ＯＬＥＤディスプレイが端末装置に配置されるとき、一般的に、ＯＬＥＤディスプレイの有機発光ダイオードを保護するために、ＯＬＥＤディスプレイの下に発泡体が付加される。ＯＬＥＤディスプレイの下に発泡体が配置されるソリューションでは、ブリッジアレイを含む薄いフィルムが発泡体の下に配置され得る。本発明の一実施形態はエレクトロニクス装置を提供する。当該エレクトロニクス装置は、圧力センサを備えたＯＬＥＤディスプレイである。図１５に示すように、ＯＬＥＤディスプレイ７０２は、頂面７０２１及び底面７０２２を含む。ＯＬＥＤディスプレイ７０２の底面は、ＴＦＴガラス基板とし得る。頂面７０２１は、底面７０２２と向かい合わせにある面である。ＯＬＥＤディスプレイの有機発光ダイオードを保護するために、ＯＬＥＤディスプレイ７０２の底面７０２２上に発泡体７０４が配置される。発泡体７０４の下に薄いフィルム７０６が配置される。この薄いフィルムは、例えばＦＰＣ又はＰＥＴなどの材料から作製され得る。薄いフィルム７０６上にブリッジアレイが配置される。ここで、７０８は、ブリッジアレイ内のブリッジ回路を指し示している。各ブリッジ回路の接続方式は、図４又は図５に示され得る。以下では、ブリッジ回路７０８の接続方式が図４に示した接続方式である例を用いて説明を行う。抵抗Ｒ１、Ｒ２、Ｒ３、及びＲ４は、同じ感歪材料から作製されることができ、すなわち、抵抗Ｒ１、Ｒ２、Ｒ３、及びＲ４の抵抗値は歪みとともに変化する。薄いフィルム７０６の一部領域が発泡体７０４に接着され、そして、薄いフィルム２０２の一部領域は発泡体７０４に接着されない。一部の実施形態において、抵抗Ｒ１及びＲ４が配置される薄いフィルム上の領域は発泡体に接着されず、抵抗Ｒ２及びＲ３が配置される薄いフィルム上の領域が発泡体に接着される。一部の他の実施形態において、抵抗Ｒ１及びＲ４が配置される薄いフィルム上の領域は発泡体に接着されず、抵抗Ｒ１及びＲ４が配置されない薄いフィルム上の領域が発泡体に接着される。抵抗Ｒ１及びＲ４が配置されない領域は、抵抗Ｒ２及びＲ３が配置される領域と、いずれの抵抗も配置されない領域とを含み得る。例えば、抵抗Ｒ１及びＲ４が位置する薄いフィルムの領域は発泡体７０４に接着されず、抵抗Ｒ２及びＲ３が位置する領域を含めて、薄いフィルム７０６上の他の領域が発泡体７０４に接着される。この抵抗は薄いフィルム上に配置されるので、この抵抗は発泡体に接着される。当業者が理解し得ることには、抵抗が配置される薄いフィルム上の領域が発泡体に接着される。
【００６４】
一部の実施形態において、抵抗Ｒ２及びＲ３は同じ感歪材料からなり、抵抗Ｒ１及びＲ４は固定値の抵抗であり、すなわち、抵抗Ｒ１及びＲ４の抵抗値は歪みとともに変化しない。薄いフィルム７０６の一部領域が発泡体７０４に接着され、薄いフィルム７０６の一部領域は発泡体７０４に接着されない。一部の実施形態において、固定値の抵抗が配置される薄いフィルム上の領域は発泡体に接着されず、感歪材料からなる抵抗が配置される薄いフィルム上の領域が発泡体に接着される。一部の他の実施形態において、固定値の抵抗が配置される薄いフィルム上の領域は発泡体に接着されず、固定値の抵抗が配置されない薄いフィルム上の領域が発泡体に接着される。固定値の抵抗が配置されない領域は、感歪材料からなる抵抗が配置される領域と、いずれの抵抗も配置されない領域とを含み得る。例えば、抵抗Ｒ１及びＲ４が位置する薄いフィルムの領域は発泡体７０４に接着されず、抵抗Ｒ２及びＲ３が位置する領域を含めて、薄いフィルム７０６上の他の領域が発泡体７０４に接着される。
【００６５】
薄いフィルム７０６の前面又は背面が銅７１０（図中に示した陰影領域）によって覆われる。抵抗Ｒ１及びＲ４が配置される薄いフィルム７０６上の領域で、銅の除去が実行される。銅の除去手法は、図１２で説明した実施形態での手法と基本的に同じである。図１５に示すように、抵抗Ｒ１及びＲ４の背景は白色であり、銅７１０を指し示す陰影領域に属していない。
【００６６】
図１５に示す技術的ソリューションにおいて、抵抗Ｒ２及びＲ３が位置する薄いフィルムの領域が、銅によって覆われて発泡体に接着され、抵抗Ｒ１及びＲ４が位置する薄いフィルムの領域は、銅によって覆われず、また、発泡体に接着されない。故に、ＯＬＥＤディスプレイ上に力が加えられるとき、ＯＬＥＤディスプレイの変形は、抵抗Ｒ２及びＲ３に伝えられることができ、抵抗Ｒ１及びＲ４には基本的に伝えられることができない。斯くして、フィルム上の異なる領域の歪みは異なる。対応して、フィルム上の異なる領域にある抵抗の抵抗値は、異なって変化する。この違いに従って、ユーザによってＯＬＥＤディスプレイに加えられた力を検出することができる。例えば、力Ｆが閾値よりも大きいかが検出され、又は、力Ｆが閾値よりも小さいかが検出される。端末装置は、力に従って異なる動作を実行し得る。
【００６７】
一部の実施形態において、銅が除去される領域は、抵抗Ｒ１及びＲ４によって占められるフィルム上の領域に対して完全には等しくない。図１６に示すように、薄いフィルム８０２は銅８０４（図中に示した陰影領域）によって覆われ、銅が除去される領域は、抵抗Ｒ１及びＲ４によって占められる薄いフィルム上の領域と、抵抗Ｒ１及びＲ４の近傍の領域とを含む。領域８０６が、銅によって覆われない領域である。この場合、領域８０６は、発泡体に接着されない領域を示し得る。
【００６８】
一部の他の実施形態において、抵抗Ｒ１及びＲ４の近傍の一部領域が、スロットにされ又はくり抜かれ得る。スロット化の手法又はくり抜きの手法は、図７−図１０の実施形態で説明したソリューションと同様である。一部の他の実施形態において、銅が除去される領域及びスロットにされる領域について、その実装は、抵抗Ｒ１及びＲ４が位置する領域で銅の除去が実行されるとともに、４０６がスロットにされる又はくり抜かれる領域である図１２にて示されることができ、あるいは、５０８が銅が除去される領域であり、５０６がスロットにされる又はくり抜かれる領域である図１３にて示されることができる。銅が除去される領域５０８は、抵抗Ｒ１及びＲ４が位置する領域と、抵抗Ｒ１及びＲ４の近傍の領域とを含む。
【００６９】
一部の他の実施形態において、同じブリッジ回路内の抵抗の温度が同じになるよう、又は、同じブリッジ回路内の抵抗の温度変化が基本的に同じになるよう、同じブリッジ回路内の抵抗は、同じ感歪材料から製造され得るとともに、可能な限り互いの近くに配置され得る。例えば、図１５及び図１６に示すように、抵抗Ｒ１、Ｒ２、Ｒ３、及びＲ４は、これらの抵抗間の温度差を低減するよう、同じ感歪材料からなるとともに、薄いフィルム上で可能な限り互いの近くに配置される。
【００７０】
ブリッジ回路７０８の接続方式が、図５に示した接続方式である場合、図５の抵抗Ｒ２を処理する手法は、図４の抵抗Ｒ２及びＲ３を処理する手法と同様であり、また、図５の抵抗Ｒ１、Ｒ３、及びＲ４を処理する手法は、図４の抵抗Ｒ１及びＲ４を処理する手法と同様である。
【００７１】
以上のソリューションにおいては、抵抗が薄いフィルム上に配置され、そして、薄いフィルムが銅によって覆われた後に、薄いフィルムの厚さはおよそ０．１ミリメートルである。圧力センサを実装するためのこの手法においては、応力を負担するボードを追加してこの応力負担ボードを付加的な応力負担構造として使用することが必要でなく、圧力センサの厚さを減少させる。応力負担ボードを追加する必要がないので、後続の組み立て段階において材料コスト及び製造コストを更に低減することができる。
【００７２】
図１７に示すように、本発明の一実施形態は端末を提供する。当該端末は、図７、図１２、図１３、図１５、又は図１６に対応する実施形態で説明したディスプレイを含む。説明を容易にするため、ディスプレイの具体的な構造は図１７に示していない。代わりに、９１２を用いてディスプレイのブリッジアレイを指し示すことによって説明を行う。ブリッジアレイは複数のブリッジ回路を含む。この図では例として２つのブリッジ回路が用いられている。電源はブリッジアレイ９１２に電力を供給する。図４の方式でブリッジ回路が接続される例において、ユーザが指又はタッチ制御ペンを使用することによってディスプレイを押す前は、ブリッジは平衡状態にあり、出力電圧Ｕｏは０である。ユーザが指又はタッチ制御ペンを使用することによってディスプレイを押すと、ディスプレイ上の歪みが抵抗Ｒ２及びＲ３に伝えられる。抵抗Ｒ２及びＲ３の抵抗値が歪みとともに変化し、抵抗Ｒ１及びＲ４の抵抗値は基本的に変化しない。この場合、ブリッジバランスが崩れ、出力電圧Ｕｏが０ではなく変化する。一般に、ブリッジ回路の出力電圧Ｕｏは、比較的小さく、直接的な測定によって得ることは難しい。故に、通常、増幅器を使用することによって出力電圧が増大され、フィルタ回路を使用することによってノイズがフィルタリング除去され、その後、出力電圧が測定される。この実施形態の以上の説明によれば、力Ｆに従ってユーザ操作を決定すべく、ユーザによってディスプレイに加えられた力が計算によって取得され得る。例えば、ユーザによって加えられた力が比較的大きい場合には、ユーザによって見られている画像がズームインされてもよく、ユーザによって加えられた力が比較的小さい場合には、ユーザによって再生されている音楽が一時停止されてもよい。
【００７３】
一部の実施形態において、増幅器９０４及び増幅器９０８は同じ増幅器とすることができ、フィルタ回路９０６及びフィルタ回路９１０は同じフィルタ回路とすることができる。これは本発明において限定されることではない。
【００７４】
なお、本発明のこの実施形態にて提供されるエレクトロニクス装置は、圧力センサを備えたディスプレイとし得る。もっともなことに、このディスプレイは更にタッチ制御機能を有し得る。例えば、タッチ層がＬＣＤディスプレイ又はＯＬＥＤディスプレイに統合される。例えば、タッチ層は、インジウムスズ酸化物（Indium  Tin  Oxide、ＩＴＯ）膜とし得る。斯くして、このディスプレイは、ユーザのタッチ操作とプレス操作との双方を検出することが可能なディスプレイである。
【００７５】
最後に、留意すべきことには、以上の実施形態は、単に、本発明の技術的ソリューションの例を説明することを意図したものであり、本発明を限定するものではない。以上の実施形態を参照して本発明及びその利益を詳細に説明したが、当業者が理解するはずのことには、本発明の請求項の範囲を逸脱することなく、以上の実施形態にて説明された技術的ソリューションへの変更を為したり、あるいはそれの一部の技術的特徴への均等な置換を為したりすることをなおも行い得る。
【図１】
2019527882.tif 000011
【図２】
2019527882.tif 000012
【図３】
2019527882.tif 000013
【図４】
2019527882.tif 000014
【図５】
2019527882.tif 000015
【図６】
2019527882.tif 000016
【図７】
2019527882.tif 000017
【図８】
2019527882.tif 000018
【図９】
2019527882.tif 000019
【図１０】
2019527882.tif 000020
【図１１】
2019527882.tif 000021
【図１２】
2019527882.tif 000022
【図１３】
2019527882.tif 000023
【図１４】
2019527882.tif 000024
【図１５】
2019527882.tif 000025
【図１６】
2019527882.tif 000026
【図１７】
2019527882.tif 000027
【国際調査報告】
2019527882.tif 000028
2019527882.tif 000029
2019527882.tif 000030
2019527882.tif 000031